(57)【特許請求の範囲】
【請求項１】
親アイコンを画面に表示する初期表示手段と、
互いに異なる機能を象形する複数の子アイコンを前記画面の第一の領域に表示する操作を前記親アイコンが前記画面に表示された状態で受け付けるメニュー表示手段と、
前記複数の子アイコンのいずれか一つを選択する操作を受け付けるメニュー選択手段と、
選択された前記子アイコンが象形する機能を有効にする操作を受け付けるとともに当該子アイコンを前記画面の第二の領域内の当該子アイコンの専用領域に移動させる第一操作受付手段と、
前記画面の第二の領域内に表示された前記子アイコンが象形する機能を無効にする操作を受け付けるとともに当該子アイコンを前記画面の第一の領域に移動させる第二操作受付手段と、
を備えることを特徴とする対話システム。
【請求項２】
前記親アイコンは道具入れを象形する形態であることを特徴とする請求項１記載の対話システム。
【請求項３】
前記メニュー選択手段は、選択された前記子アイコンと、当該子アイコンが象形する機能を当該子アイコンと異なる形態で象形する１又は２以上の兄弟アイコンとを、当該子アイコンが象形する機能を有効にする操作を受け付けるまで、前記画面の第一の領域に巡回表示することを特徴とする請求項１又は２記載の対話システム。
【請求項４】
前記第二領域に表示された前記子アイコンを前記第二領域に表示した状態を維持して前記第一領域に表示された前記子アイコンを非表示にする操作を受け付ける手段をさらに備えることを特徴とする請求項１、２または３記載の対話システム。
【請求項５】
前記初期表示手段は、前記画面の第一の領域に前記子アイコンが表示されるとき蓋の開いた道具入れを象形する形態の第二親アイコンを表示し、前記第一の領域に表示された前記子アイコンを非表示にする操作が受け付けられると蓋の閉じた道具入れを象形する形態の第一親アイコンを表示することを特徴とする請求項４記載の対話システム。
【請求項６】
前記メニュー選択手段は、前記複数の子アイコンを巡回選択する操作を受け付ける第一選択キーを有し、
前記第一操作受付手段は、選択された前記子アイコンが象形する機能を有効にする操作を受け付ける第二選択キーを有することを特徴とする請求項１〜５のいずれか一項に記載の対話システム。
【請求項７】
請求項１〜６のいずれか一項に記載の対話システムを備えることを特徴とするディジタルカメラ。
【発明の詳細な説明】
【０００１】
【発明の属する技術分野】
本発明は対話システム、それを用いたディジタルカメラ、対話プログラム及び対話方法に関し、端的にはディジタルカメラ等の電子機器のＧＵＩ（Ｇｒａｐｈｉｃａｌ  Ｕｓｅｒ  Ｉｎｔｅｒｆａｃｅ）に関する。
【０００２】
【従来の技術】
従来のディジタルカメラにおけるＵＩ（Ｕｓｅｒ  Ｉｎｔｅｒｆａｃｅ）の一例を図７に示す。この図は撮影モードで動作しているディジタルカメラの背面を示している。ＬＣＤ１０２には図示しないレンズによりＣＣＤ等のエリアセンサに結像された被写体の画像１０１並びに撮影時に使用される機能及びその機能が有効か無効かを示すテキストが表示される。キー１０４はストロボ撮影機能を有効にするか否かを選択し、キー１０５はマクロ撮影機能を有効にするか否かを選択し、キー１０６はタイマ撮影機能を有効にするか否かを選択するキーである。例えばキー１０４を押す度にストロボ撮影機能が有効又は無効に切り替わり、それに応じてキー１０４の近傍に「ストロボＯＮ」又は「ストロボＯＦＦ」のテキストが表示される。
【０００３】
【発明を解決しようとする課題】
しかし、電子機器のＵＩにおいて図７に示すようにテキストを使用すると、ユーザの言語ごとにＵＩを開発しなければならないため、電子機器の製造コストが増大する。また、機能や状態を説明するためのテキストを表示するためには、画面にある程度広い領域を確保する必要がある。また、表示領域の制約から機能や状態を十分に説明できるだけのテキストを表示できず、ＵＩがわかりにくくなる場合がある。
【０００４】
本発明は、このような点に着目して創作されたものであって、ユーザの言語に依存せず、表示領域が狭く、かつ、わかりやすいＵＩを実現する対話システム、それを用いたディジタルカメラ、対話プログラム及び対話方法を提供することを目的とする。
【０００５】
【課題を解決するための手段】
請求項１に係る発明は、親アイコンを画面に表示する初期表示手段と、互いに異なる機能を象形する複数の子アイコンを前記画面の第一の領域に表示する操作を前記親アイコンが前記画面に表示された状態で受け付けるメニュー表示手段と、前記複数の子アイコンのいずれか一つを選択する操作を受け付けるメニュー選択手段と、選択された前記子アイコンが象形する機能を有効にする操作を受け付けるとともに当該子アイコンを前記画面の第二の領域内の当該子アイコンの専用領域に移動させる第一操作受付手段と、前記画面の第二の領域内に表示された前記子アイコンが象形する機能を無効にする操作を受け付けるとともに当該子アイコンを前記画面の第一の領域に移動させる第二操作受付手段と、を備えることを特徴とする対話システムである。
【０００６】
「道具入れに収納されている道具を見る」又は「道具入れに収納されている道具を取り出す」ことをメニュー表示手段で受け付ける操作のメタファとする。「道具を選択する」ことをメニュー選択手段で受け付ける操作のメタファとする。「道具を使う」ことを操作受付手段で受け付ける操作のメタファとする。「道具が使われている」ことを画面の第一の領域から第二の領域への子アイコンの移動のメタファとする。「道具入れに収納されている道具を見て（取り出して）」、「道具を選択し」、「道具を使う」という実生活の行動にしたがってユーザがシステムと対話しながらシステムを操作することができるため、わかりやすいＵＩを実現することができる。
【０００７】
また、子アイコンの表示及び移動によって、メニューを表示し、メニューの各項目の設定状態を案内することができるため、テキストを表示する必要がない。したがって、ユーザの言語に依存せず、表示領域が狭いＵＩを実現することができる。尚、子アイコンが象形する操作とは、例えば何らかの機能を有効にする操作であり、具体的には例えばディジタルカメラにおけるストロボ撮影機能を有効にする操作である。
【０００８】
請求項２に係る発明のように、親アイコンは、互いに異なる操作を象形する複数の子アイコンを収納することを連想させる道具入れを象形する形態にすることが望ましい。
【０００９】
請求項３に係る発明のように、メニュー選択手段は、選択された子アイコンと、当該子アイコンが象形する機能を当該子アイコンと異なる形態で象形する１又は２以上の兄弟アイコンとを当該アイコンが象形する機能を有効にする操作を受け付けるまで、前記画面の第一の領域に巡回表示することが望ましい。このような巡回表示によって、いずれの子アイコンが選択されているかが判別しやすくなるとともに、子アイコンが象形する機能をよりわかりやすくユーザに説明することができる。尚、巡回表示とは複数のアイコンのいずれかを１つを順に表示するとともに他のアイコンを隠すことを意味する。
【００１０】
請求項４に係る発明のように、前記第二領域に表示された前記子アイコンを前記第二領域に表示した状態を維持して前記第一領域に表示された前記子アイコンを非表示にする操作を受け付ける手段をさらに備えることが望ましい。
請求項５に係る発明のように、初期表示手段は、前記画面の第一の領域に前記子アイコンが表示されるとき蓋の開いた道具入れを象形する形態の第二親アイコンを表示し、前記画面に表示された前記子アイコンを非表示にする操作が受け付けられると蓋の閉じた道具入れを象形する形態の第一親アイコンを表示することが望ましい。「道具入れの蓋が開閉する」ことを親アイコンの変化のメタファとすることで、メニュー表示手段で受け付けられる操作がよりわかりやすいものとなる。
【００１１】
請求項６に係る発明のように、メニュー選択手段は、前記複数の子アイコンを巡回選択する操作を受け付ける第一選択キーを有し、前記第一操作受付手段は、選択された前記子アイコンが象形する機能を受け付ける第二選択キーを有することが望ましい。複数の子アイコンをユーザに巡回選択させることにより、少ないキーでの操作が可能になる。したがって、ＵＩがわかりやすくなるとともに対話システムの製造コストを低減することができる。
【００１２】
請求項１〜６に係る対話システムは、請求項７に係る発明のようにディジタルカメラに備えることが望ましい。ディジタルカメラの表示装置は被写体画像を表示しつつ操作及び状態を案内するＵＩを構成することが望ましいため、狭い表示領域でわかりやすいＵＩを構成する必要があるからである。
【００１４】
【発明の実施の形態】
以下、本発明の実施の形態として本発明をディジタルカメラに適用した一実施例を図面に基づいて説明する。
【００１５】
図２、図３、図４、図５はそれぞれディジタルカメラ１の正面図、背面図、平面図、機能ブロック図である。特許請求の範囲に記載された初期表示手段、メニュー表示手段、メニュー選択手段及び操作受付手段は、いずれもＣＰＵ２０によって実行される図示しないフラッシュメモリ等の不揮発性記録媒体に記録されたＵＩプログラム及び制御プログラムと、並びにＵＩプログラム及び制御プログラムの実行結果に基づいて制御される表示部２２とを構成要素としている。特許請求の範囲に記載された対話プログラムはＵＩプログラム及び制御プログラムから構成される。特許請求の範囲に記載された親アイコンは道具箱アイコン５２、５９から構成される。特許請求の範囲に記載された子アイコンは、タイマアイコン５４、マクロアイコン５５及び逆光アイコン５６から構成される。特許請求の範囲に記載された第一選択キーはキー３７から構成される。特許請求の範囲に記載された第二選択キーはキー３５から構成される。
【００１６】
光学系１１はストロボ４０、光学レンズ３４、絞り機構、赤外線カットフィルタ、光学的ローパスフィルタ等から構成され、被写体をエリアセンサ１２に結像させる。
【００１７】
エリアセンサ１２は、光電変換素子群を備えるＣＣＤセンサ、ＣＭＯＳセンサ等の光センサであり、各光電変換素子にはＣ（Ｃｙａｎ）、Ｍ（Ｍａｇｅｎｔａ）、Ｙ（Ｙｅｌｌｏｗ）、Ｇ（Ｇｒｅｅｎ）のいずれかの補色フィルタが設けられている。尚、フィルタは又はＲ（Ｒｅｄ）、Ｇ（Ｇｒｅｅｎ）、Ｂ（Ｂｌｕｅ）の原色フィルタであってもよい。各光電変換素子はマトリックス状に配置されている。エリアセンサ１２から出力される各色のアナログ信号はＡＦＥ１３に入力される。
【００１８】
ＡＦＥ１３は、プログラムゲインアンプ、ＣＤＳ回路、Ａ／Ｄ変換器等から構成され、各光電変換素子から出力されるアナログ信号をサンプリングしてＣＭＹＧ各色１０〜１２ｂｉｔのディジタルデータを生成する。ＣＭＹＧの各ディジタルデータは画像生成部１４に直接又はバッファメモリに格納された後に入力される。
【００１９】
画像生成部１４は、所定のアルゴリズムを論理回路で実現したＡＳＩＣをＣＰＵ２０で制御することによりハードウェア的手法により構成され、又はＤＳＰ（Ｄｉｇｉｔａｌ  Ｓｉｇｎａｌ  Ｐｒｏｃｅｓｓｏｒ）エンジンを利用したソフトウェア的手法により構成される。画像生成部１４は、自動露出処理（ＡＥ：Ａｕｔｏ  Ｅｘｐｏｓｕｒｅ）、自動ホワイトバランス処理（ＡＷＢ：Ａｕｔｏ  Ｗｈｉｔｅ  Ｂａｌａｎｃｅ）、画像生成処理及びＣＭＹＧの色空間からＲＧＢの色空間への変換処理、γ補正処理等を行う。ここでいう画像生成処理とは、主に、各光電変換素子の出力に対応するＣＭＹＧいずれかの強度を表すディジタルデータを用いて各画素ごとにＣＭＹＧ各色の４つの値を持つ画像データを生成する処理である。ＣＭＹＧの色空間からＲＧＢの色空間への変換処理は、４×３の行列演算処理回路によるハードウェア的手法又は乗算回路及び加減算回路を利用したＣＰＵ２０等によるソフトウェア的手法により行われる。
【００２０】
色空間変換部１５は、３×３の行列演算処理回路で構成され、又は乗算回路及び加減算回路を利用したＣＰＵ２０等でのソフトウェア的手法により構成され、３×３行列による線形変換によりＲＧＢのディジタル画素データからＹＣｂＣｒのディジタル画素データを生成する。
【００２１】
圧縮処理部１６は、一般にＪＰＥＧ圧縮処理用の専用チップでハードウェア的手法により構成するが、ＤＳＰを用いたソフトウェア的手法により構成することも可能である。圧縮処理部１６では、離散コサイン変換（ＤＣＴ：Ｄｉｓｃｒｅｔｅ  Ｃｏｓｉｎｅ  Ｔｒａｎｓｆｏｒｍ）及びハフマン符号化によるＪＰＥＧ圧縮処理を行う。
【００２２】
ファイル部１７はＪＰＥＧ圧縮処理された画像データをＥｘｉｆファイルフォーマット等によりコンパクトフラッシュメモリ等のリムーバブルメモリ１８に記録する。
【００２３】
ＣＰＵ２０は、制御プログラム及びＵＩプログラムを実行することによって光学系１１、エリアセンサ１２、ＡＦＥ１３、画像生成部１４、色空間変換部１５、圧縮処理部１６、ファイル部１７、表示部２２等を制御する。尚、画像生成部１４、色空間変換部１５及び圧縮処理部１６が行う各種の処理は、ＣＰＵ２０に所定のプログラムを実行させることによりソフトウェア的手法により実行してもよい。
【００２４】
ＭＳ１９には図示しないフラッシュメモリに記録されたプログラムが呼び出され、プログラムの実行結果等が一時的に記憶される。また、ＭＳ１９は画像生成部１４で生成されたＹＣｂＣｒの画素データから構成される主画像データ及びその縮小画像データを一時的に記憶する。
【００２５】
表示部２２は、ビデオメモリ、ＬＣＤ（Ｌｉｑｕｉｄ  Ｃｒｙｓｔａｌ  Ｄｉｓｐｌａｙ）３８、駆動回路等から構成され、ＣＰＵ２０により生成されたサムネイル画像データをＬＣＤ３８に表示するほか、ＣＰＵ２０が実行するＵＩプログラムの実行結果に基づいて種々のアイコンをＬＣＤ３８に表示する。
【００２６】
操作部２１は、ケース上面に設けられたシャッターボタン３０、電源スイッチ３１、ダイヤルスイッチ３２、ＬＣＤ３８の周囲に設けられた各種設定用のキー３５、３６、３７、３９、入力制御回路等から構成される。
【００２７】
以上、ディジタルカメラ１のハードウェア構成について説明した。次にディジタルカメラ１のＵＩを構成するＵＩプログラムについて説明する。このＵＩプログラムはメモリカード等のシステム間で交換可能な記録媒体から読み出してディジタルカメラ１の図示しないフラッシュメモリ等の不揮発性記録媒体に転送することでインストールする。また、ディジタルカメラ１とパソコン、携帯電話等の通信端末を有線又は無線インタフェースで接続し、これらの通信端末と電気通信回線を介して遠隔地のサーバコンピュータからダウンロードすることによってディジタルカメラ１のフラッシュメモリに記録することもできる。
【００２８】
ＵＩプログラムは、光学系１１、エリアセンサ１２等を制御する制御プログラムと通信することにより、ユーザのキー操作に応じてストロボ撮影機能、タイマ撮影機能、マクロ撮影機能及び逆光撮影機能を有効又は無効にする。これらの機能が有効であるときの主な作動は次の通りである。ストロボ撮影機能が有効であるとき、制御プログラムはシャッターボタン３０が押されたときにストロボ４０を発光させる。タイマ撮影機能が有効であるとき、制御プログラムはシャッターボタン３０が押されてから所定時間経過後にエリアセンサ１２を作動させて被写体を撮影する。マクロ撮影機能が有効であるとき、制御プログラムは光学レンズ３４を作動させて焦点距離を最短に設定し至近距離での撮影を可能にする。逆光撮影機能が有効であるとき、制御プログラムは絞り機構を作動させて露光量を最小に設定するとともにストロボ撮影機能を有効にすることで逆光条件での撮影を可能にする。
【００２９】
ＵＩプログラムは、ストロボ撮影機能、タイマ撮影機能、マクロ撮影機能及び逆光撮影機能の有効・無効の設定及びこれらの機能が有効であるか無効であるかの状態を図１及び図６に示す各種のアイコンの表示・非表示の切り換え、表示位置の切換等によってユーザに案内する。以下、ユーザのキー操作に応じてＵＩプログラムが制御プログラムと通信してＣＰＵ２０に実行させる作動を図１及び図６に基づいて説明する。
【００３０】
ユーザによってダイヤルスイッチ３２が操作され撮影モードが選択されたときには、ＬＣＤ３８に画面（Ａ）を表示させる。ＬＣＤ３８の表示及び非表示並びに各種アイコンの表示及び非表示はキー３６が押されるたびに巡回的に切り替えさせる（ＳＴＥＰ１）。
【００３１】
画面（Ａ）はほぼ画面全体を占める図示しない被写体と道具箱アイコン５２とストロボアイコン５１とから構成される。図示しない被写体はエリアセンサ１２に結像される被写体をリアルタイムで表示したものである。道具箱アイコン５２は特許請求の範囲に記載された第二親アイコンを構成する。道具箱アイコン５２はタイマアイコン５４、マクロアイコン５５、逆光アイコン５６及び設定アイコン５７を収納する蓋の閉じた状態の道具箱を象形する形態とする。ストロボアイコン５１はストロボ光を象形する形態とする。
【００３２】
ストロボ撮影機能は頻繁に使われる機能であるため、ストロボアイコン５１又はストロボオフアイコン５３のいずれかをＬＣＤ３８に常に表示させることが望ましい。本実施例では、キー３９が押されるたびにストロボ撮影機能の有効・無効を切り換え、ストロボ撮影機能が有効であるときＬＣＤ３８の左下にストロボアイコン５１を表示させ、ストロボ撮影機能が無効であるときＬＣＤ３８の左下にストロボオフアイコン５３を表示させる（ＳＴＥＰ２、３）。
【００３３】
ＵＩプログラムはＬＣＤ３８の右端領域又は左端領域にタイマアイコン５４等を表示することにより比較的よく使われる機能をメニュー表示するとともに、左右いずれの領域にアイコンを表示するかにより各アイコンが象形する機能が有効であるか無効であるかをユーザに案内する。したがって、本実施例ではＬＣＤ３８の右端領域が特許請求の範囲に記載された第一領域に相当し、ＬＣＤ３８の左端領域が特許請求の範囲に記載された第二領域に相当するが、ＬＣＤ３８のいずれの領域を第一領域又は第二領域としてもよい。ただし、第一領域、第二領域のいずれにアイコンを表示するかによって各種機能の有効・無効を案内できるように第一領域、第二領域がそれぞれＬＣＤ３８の両端に位置するように画面を構成することが望ましい。また、各領域を罫線で囲むなどして第一領域及び第二領域が意味するものをより明確にしてもよい。
【００３４】
タイマアイコン５４、マクロアイコン５５、逆光アイコン５６、設定アイコン５７はそれぞれタイマ撮影機能、マクロ撮影機能、逆光撮影機能、設定機能を象形する形態とする。また、それぞれのアイコンが象形する機能を有効又は無効とする操作をも象形するように画面を構成する。本実施例では、各アイコンが画面右端から左端に移動することをもって機能を有効にする操作を象形することとし、各アイコンが画面左端から右端に移動することをもって機能を無効にする操作を象形するように画面を構成する。
【００３５】
以下、キー操作と画面構成の変化とを具体的に説明する。
画面（Ａ）が表示されているときにキー３５又はキー３７が押されると、画面（Ａ）を画面（Ｂ）に変化させる（ＳＴＥＰ４）。画面（Ｂ）ではタイマアイコン５４、マクロアイコン５５、逆光アイコン５６及び設定アイコン５７を道具箱アイコン５９の画面上方すなわち第一領域である画面右端に表示させる。画面（Ｂ）では、道具箱アイコン５９は蓋の空いた道具入れを象形する形状に変化させる。これは、「メニューが表示されました。」という情報を「道具入れが開いて道具入れに収納されている道具が見えました。」という情報に喩えてユーザに伝達するためである。また、画面（Ｂ）では道具箱アイコン５９を囲む罫線５８を表示させる。これは、タイマアイコン５４、マクロアイコン５５、逆光アイコン５６及び設定アイコン５７のいずれも選択されておらず、道具箱アイコン５９に対する操作が行われたことを明確にユーザに案内するためである。
【００３６】
道具箱アイコン５９が表示されている状態ではキー３７をメニューの項目選択に用いる。具体的には、道具箱アイコン５９が表示されている状態でキー３７が押されるたびに道具箱アイコン５９→タイマアイコン５４→マクロアイコン５５→逆光アイコン５６→設定アイコン５７→道具箱アイコン５９の順で各アイコンを囲むように罫線５８の表示位置を切り換え、罫線５８で囲まれたアイコンが選択されていることをユーザに案内する（ＳＴＥＰ６、９、１２、１５）。尚、ユーザが選択した項目の内容をよりわかりやすくユーザに案内するため、罫線５８で囲まれたアイコンをアニメーション表示することが望ましい。具体的には例えば、罫線で囲まれたアイコンが象形する機能を当該アイコンと別の形態で象形する兄弟アイコンと、当該アイコンとを一定時間間隔で巡回表示する。例えばタイマアイコン５４の兄弟アイコンとしては複数人の合同写真を模した形態のものが望ましい。道具箱アイコン５９を囲む位置に罫線５８を表示しているときにキー３５が押されると画面（Ｂ）を画面（Ａ）に変化させ、これにより、メニュー表示が終了したことをユーザに案内する（ＳＴＥＰ５）。
【００３７】
タイマアイコン５４、マクロアイコン５５、逆光アイコン５６のいずれかが選択されている状態、すなわち、ＬＣＤ３８に画面（Ｃ）、画面（Ｅ）、画面（Ｇ）のいずれかが表示されている状態では、各アイコンが象形する機能の有効・無効を切り換えるためにキー３５を用いる。タイマ撮影機能の有効・無効の切り換え操作を例にとって具体的に説明する。
【００３８】
画面（Ｃ）がＬＣＤ３８に表示されているときにキー３５が押されると、タイマアイコン５４を画面右端から画面左端に移動させ、画面（Ｃ）を画面（Ｄ）に変化させる（ＳＴＥＰ７）。このときＵＩプログラムはタイマ撮影機能を有効にするように制御プログラムにメッセージを送信する。このメッセージを受信した制御プログラムはＣＰＵ２０にタイマ撮影機能を有効にさせる。したがって、画面右端に表示されているタイマアイコン５４が象形する操作はタイマ撮影機能を有効にすることといえる。すなわち、タイマアイコン５４を画面左端に移動させることにより、画面右端のタイマアイコン５４が象形する操作が受け付けられたことをユーザに案内する。
【００３９】
画面（Ｄ）がＬＣＤ３８に表示されている状態、すなわち、タイマアイコン５４が画面左端に表示されタイマアイコン５４が象形するタイマ撮影機能が有効な状態でキー３５が押されると、タイマアイコン５４を画面左端から画面右端に移動させ、画面（Ｄ）を画面（Ｃ）に変化させる（ＳＴＥＰ８）。このときＵＩプログラムはタイマ撮影機能を無効にするように制御プログラムにメッセージを送信する。このメッセージを受信した制御プログラムはＣＰＵ２０にタイマ撮影機能を無効にさせる。したがって、画面左端に表示されているタイマアイコン５４が象形する操作はタイマ撮影機能を無効にすることといえる。すなわち、タイマアイコン５４を画面右端に移動させることにより、画面左端のタイマアイコン５４が象形する操作が受け付けられたことをユーザに案内する。マクロ撮影機能、逆光撮影機能の有効・無効の切り換え時の作動（ＳＴＥＰ１０、１１、１３、１４）はタイマ撮影機能の有効・無効の切り換え時の作動に準ずる。
【００４０】
設定アイコン５７が選択されている状態、すなわち、ＬＣＤ３８に画面（Ｉ）が表示されている状態では、設定モードに移行するためにキー３５を用いる。設定モードはタイマ撮影等の既に説明した機能以外の特殊な撮影機能の有効・無効を切り換えるためのモードである。特殊な撮影機能とは、例えば夜景をきれいに撮影するための機能、自動露出補正を無効にして撮影するための機能等である。ＬＣＤ３８に画面（Ｉ）が表示されている状態でキー３５が押されると、画面（Ｉ）を画面（Ｊ）に変化させる。画面（Ｊ）は背景とメニューのテキスト表示と各項目の設定値のテキスト表示とから構成される。メニューの項目選択はキー３７で行わせ（ＳＴＥＰ１９）、各項目の設定値の変更はキー３５で行わせる（ＳＴＥＰ１８）。具体的には例えば、キー３７が押されたときに自動露出補正の項目が選択され、次にキー３５が押されると自動露出補正の項目の設定値が自動から手動に切り替わるようにＵＩプログラムを構成する。尚、設定モードから撮影モードへの復帰にはキー３９を用いる（ＳＴＥＰ１７）。
【００４１】
図１及び図６では説明の簡略化のためタイマアイコン５４等が画面左端に表示されている状態でキー３７が押されたときに表示される画面を正確に示していない。例えば、画面（Ｄ）がＬＣＤ３８に表示されているときにキー３７が押されると、タイマアイコン５４が画面左端に残した状態でマクロアイコン５５を囲む位置に罫線を移動させる。さらにキー３７が繰り返し押されて道具箱アイコン５９が選択され、さらにキー３５が押されると、画面マクロアイコン５５、逆光アイコン５６及び設定アイコン５７を隠すとともに蓋の開いた道具箱アイコン５９を蓋の閉じた道具箱アイコン５２に変化させ、画面（Ａ）の左上にタイマアイコン５４を表示した画面に変化させる。
【００４２】
本実施例によると、ＵＩプログラムはタイマ撮影機能、ストロボ撮影機能及びマクロ撮影機能を有効又は無効にする操作をアイコンのみによってユーザに案内するため、ディジタルカメラ１のＵＩをわかりやすくしている。また、本実施例によると、これらの機能を有効又は無効にする操作を案内にするにあたってテキストを用いていないため、各国ユーザに提供するためのＵＩプログラムの開発コストを低減することができる。また、本実施例によると、タイマアイコン５４等の各アイコンが画面を占有する領域が狭いため、これらのアイコンの背景となっている被写体を見やすくＬＣＤ３８に表示することができる。
【００４３】
以上説明した実施例ではディジタルカメラ１のＵＩについてのみ説明したが、ディジタルカメラに限らず、例えば、電子炊飯器、複写機、カーナビゲーション装置等の種々の電子機器に本発明を適用できる。特に本発明は電子機器に備えられている所定の機能を有効にしたり無効にしたりする操作に関するＵＩに適している。
【図面の簡単な説明】
【図１】本発明の一実施例によるディジタルカメラのＵＩを説明するためのフローチャートである。
【図２】本発明の一実施例によるディジタルカメラを示す正面図である。
【図３】本発明の一実施例によるディジタルカメラを示す背面図である。
【図４】本発明の一実施例によるディジタルカメラを示す平面図である。
【図５】本発明の一実施例によるディジタルカメラを示す機能ブロック図である。
【図６】本発明の一実施例によるディジタルカメラのＵＩを説明するためのフローチャートである。
【図７】従来のディジタルカメラを示す背面図である。
【符号の説明】
１    ディジタルカメラ
２１    操作部
２２    表示部
３２    ダイヤルスイッチ
３５、３６、３７、３９    キー
３８    ＬＣＤ
５１    ストロボアイコン
５２、５９    道具箱アイコン
５３    ストロボオフアイコン
５４    タイマアイコン
５５    マクロアイコン
５６    逆光アイコン
５７    設定アイコン
５８    罫線
【図１】
0003594130.tif 000002
【図２】
0003594130.tif 000003
【図３】
0003594130.tif 000004
【図４】
0003594130.tif 000005
【図５】
0003594130.tif 000006
【図６】
0003594130.tif 000007
【図７】
0003594130.tif 000008